(57)【要約】      （修正有）【課題】便利に交換でき、かつダイヤフラムの設置位置に不具合が生じない、チェストピースのダイヤフラムクイックリリース構造を提供する。【解決手段】チェストピースのダイヤフラムクイックリリース構造は、主にリム２０とダイヤフラム３０で構成される第１隔膜１０を備え、該リムの内側に第１凹陥部２１と第２凹陥部２２が設けられ、該第１凹陥部が該ダイヤフラムを緊密に挟持して嵌合固定状態を形成し、該第２凹陥部の上方外縁部にガイド面２２１が設けられ、該ガイド面により該第１隔膜を迅速に取り外し可能に該チェストピースに結合させることができ、該リムの側縁部に押勢部２１１が設置され、使用者が力を加える接触面積を増加し、それにより取り外し交換の速度を高め、従来構造の手間のかかる調整工程を簡略化することができる。【選択図】図３
0003231685.tif 000002
【実用新案登録請求の範囲】
【請求項１】
チェストピースのダイヤフラムクイックリリース構造であって、リムと、ダイヤフラムで構成された第１隔膜を含み、前記リムの内側に第１凹陥部と、第２凹陥部が設けられ、前記第１凹陥部が前記ダイヤフラムを緊密に挟持して嵌合固定状態を形成し、前記第２凹陥部の上方外縁部にガイド面が設置され、前記ガイド面により前記第１隔膜を取り外し可能にチェストピースに結合することができ、さらに前記リムの側縁部に、使用者が外力を加えて前記第１隔膜を取り外す動作を補助する押勢部が設置されたことを特徴とする、チェストピースのダイヤフラムクイックリリース構造。
【請求項２】
前記押勢部がブロック状または柱状のいずれかであることを特徴とする、請求項１に記載のチェストピースのダイヤフラムクイックリリース構造。
【請求項３】
前記チェストピースの上方に第２隔膜が設置され、かつ前記第２隔膜の内側に設置された該ダイヤフラムが着脱自在であることを特徴とする、請求項１に記載のチェストピースのダイヤフラムクイックリリース構造。
【考案の詳細な説明】
【技術分野】
【０００１】
本考案は聴診器のチェストピースに関し、具体的には、チェストピースのダイヤフラムクイックリリース構造に関する。
【背景技術】
【０００２】
一般的な従来の聴診器は、通常主体と、ダイヤフラムと、リング状固定部材で構成され、そのうち、該ダイヤフラムが該リング状固定部材内部に設置され、該リング状固定部材を該本体に結合した後、該ダイヤフラムが両者間に挟まれ、しっかりと固定された状態となる。
【０００３】
前述の従来の聴診器には、次のような欠点がある。ダイヤフラムと複数の構成部材を正確に特定の位置に配置した後、該本体に設けられたネジ山に該リング状固定部材を合わせて回転させることで、固定と組み立てを達成する必要がある。さらに、ダイヤフラムとリング状固定部材の組み立てが適切に組み立てられていないと、ダイヤフラムの伝導表面が縮減され、収音能力が損なわれやすい。従来の聴診器は、聴診を完了した後、頻繁にアルコールで従来のチェストピースを拭いたり、新しいダイヤフラムに交換したりする必要があり、後者のダイヤフラム交換には時間がかかり、かつ密閉が不完全でうまく聴診できない状況が発生しやすい。
【０００４】
このため、胸部の生理音の各種診断上の応用を考慮して、医師がより便利に新しいダイヤフラムに交換でき、かつ何度もしっかり取り付けられているか繰り返し確認する必要がない、ダイヤフラムの交換構造が必要である。
【考案の概要】
【考案が解決しようとする課題】
【０００５】
上述の状況に鑑み、本考案の目的は、便利に交換でき、かつダイヤフラムの設置位置に不具合が生じない、チェストピースのダイヤフラムクイックリリース構造を提供することにある。
【課題を解決するための手段】
【０００６】
以下この考案について説明する。請求項１に記載するチェストピースのダイヤフラムクイックリリース構造は、第１隔膜を含み、該第１隔膜が主にリムとダイヤフラムで構成され、該リムの内側に第１凹陥部と、第２凹陥部が設けられ、該第１凹陥部が該ダイヤフラムを緊密に挟持して嵌合固定状態を形成し、該第２凹陥部の上方外縁部にガイド面が設けられ、該ガイド面により該第１隔膜を取り外し可能にチェストピースに結合することができ、該リムの側縁部に押勢部が設置され、使用者が外力を加えて該第１隔膜を取り外す動作を補助することができる。
【０００７】
請求項２に記載するチェストピースのダイヤフラムクイックリリース構造は、請求項１における押勢部がブロック状または柱状のいずれかである。
【０００８】
請求項３に記載するチェストピースのダイヤフラムクイックリリース構造は、請求項１におけるチェストピースの上方に第２隔膜が設けられ、かつ該第２隔膜の内側に設置された該ダイヤフラムが着脱自在である。
【考案の効果】
【０００９】
上述により、本考案のチェストピースのダイヤフラムクイックリリース構造は、ダイヤフラムを該第１隔膜内側に設置して嵌合固定状態を形成し、ダイヤフラムの交換時は該第１隔膜をチェストピース上に取り付ければよく、これにより、毎回ダイヤフラムを交換するとき、組み立てのチェックを行う時間を排除できるため、ダイヤフラムの交換をより便利かつ迅速・正確にすることができる。
【図面の簡単な説明】
【００１０】
【図１】本考案の立体図である。
【図２】本考案の組み立てを示す概略図である。
【図３】本考案のチェストピースと第１隔膜の組み立て前の断面図である。
【図４】本考案のチェストピースと第１隔膜の組み立て後の断面図である。
【図５】本考案の図４の部分拡大断面図である。
【図６】本考案の押勢部の別の実施例の立体図である。
【図７】本考案の図６の押勢部の部分拡大断面図である。
【図８】本考案の押勢部のさらに別の実施例の立体図である。
【図９】本考案の図８の押勢部の部分拡大断面図である。
【図１０】本考案の押勢部のまた別の実施例の立体図である。
【図１１】本考案の図１０の押勢部の部分拡大断面図である。
【考案を実施するための形態】
【００１１】
本考案に基づいた最良の実施例について、図１〜５を組み合わせて詳細に説明した後、本考案に対する理解が深まるであろう。本考案のチェストピースのダイヤフラムクイックリリース構造は、第１隔膜１０を含み、該第１隔膜１０が主にリム２０と、ダイヤフラム３０で構成され、該リム２０の内側に第１凹陥部２１と、第２凹陥部２２が設けられ、該第１凹陥部２１が該ダイヤフラム３０を緊密に挟持して嵌合固定状態を形成し、これにより該ダイヤフラム３０を該第１凹陥部２２内に平坦に設置することができ、該第２凹陥部２２の面積が該第１凹陥部２１より大きく、該第２凹陥部が２２該第１凹陥部２１の上方に位置する。
【００１２】
該第２凹陥部２２の上方外縁部にガイド面２２１が設置され、該ガイド面２２１が曲面の設計であり、該ガイド面２２１により該第１隔膜１０を取り外し可能にチェストピースに結合することができる。より詳細に説明すると、曲面設計のガイド面２２１が、曲面を通じて寸法の近い該チェストピースを摺動させ、該第２凹陥部２２へ嵌入させて固定することができ、かつ該ダイヤフラム３０を正常に使用できるように確約することができる。かつ、該第２凹陥部２２は該チェストピースの一部をその中に設置できるようにする必要があるため、該第２凹陥部２２の厚みは該第１凹陥部２１より大きい。
【００１３】
該リム２０の側縁部には押勢部２１１が設置される。ここで、図１から図５に示す位置は右側であるが、これに限定されない。該押勢部２１１の設置は、使用者の手の接触面積をより多くすることで、使用者が力を加えやすくなり、該チェストピースと結合された状態から該第１隔膜１０を取り外しやすくして、取り外しと交換の速度を高めることを目的としている。
【００１４】
さらに図６と図７に示すように、該チェストピースの上方はベル面と呼ばれるが、このベル面にさらに第２隔膜５０が設置される。該第２隔膜５０は該チェストピースの設計に合わせることができ、その内側の構造は該第１隔膜１０とほぼ同じであり、いずれも該第１凹陥部２１と該第２凹陥部２２が設けられ、必要に応じて該ダイヤフラム３０の取り付けを選択することができる。該ダイヤフラム３０を取り付ける場合、このベル面は子供の高周波音を聴くために使用することができる。ダイヤフラム３０を取り付けない場合、図６と図７に示すように、該第２隔膜５０の内側にこのとき該ダイヤフラム３０が取り付けられておらず、ベル面は低周波音を聴くために使用することができる。該第２隔膜５０の側縁部にさらに該押勢部２１１が設置される。本考案の該第１隔膜１０と該第２隔膜５０の形状はチェストピースの造形に合わせて製作でき、限定されない。
【００１５】
図８、図９に本考案の別の実施例を示す。該押勢部２１１の設置位置が該第１隔膜１０の外側上方であり、該押勢部２１１の形状がブロック状であるが、実施例の描写に限定されない。かつ該押勢部２１１は位置の変化を通じて使用者が加える力の程度を減少させることができ、取り外しと交換をより容易にすることができる。また該押勢部２１１の突出した特徴をより目立たなくして、外観をより簡潔に美しくすることができる。図１０、図１１に本考案のさらに別の実施例を示す。該押勢部２１１の形状は柱状であり、その構造設計の目的は上述の図８、図９と同じであるため、説明を省略する。
【００１６】
上述をまとめると、本考案のチェストピースのダイヤフラムクイックリリース構造は、第１隔膜１０をリム２０及びダイヤフラム３０が結合された一体化設計とするほか、さらに該リム２０内側の第２凹陥部２２とガイド面２２１により、チェストピースに結合する過程をより容易にしている。また該リム２０に設置された押勢部２１１により、使用者がより簡単に取り外すことができるため、交換の速度を高めることができ、かつ従来構造を固定する際の手間のかかる調整を簡略化できる。また該第２隔膜５０の設置により、高周波音と低周波音に合わせて切り替え、使用することができる。
【符号の説明】
【００１７】
１０    第１隔膜
２０    リム
２１    第１凹陥部
２１１    押勢部
２２    第２凹陥部
２２１    ガイド面
３０    ダイヤフラム
４０    聴診器
５０    第２隔膜
【図１】
0003231685.tif 000003
【図２】
0003231685.tif 000004
【図３】
0003231685.tif 000005
【図４】
0003231685.tif 000006
【図５】
0003231685.tif 000007
【図６】
0003231685.tif 000008
【図７】
0003231685.tif 000009
【図８】
0003231685.tif 000010
【図９】
0003231685.tif 000011
【図１０】
0003231685.tif 000012
【図１１】
0003231685.tif 000013